【誤訳訂正書】
【提出日】令和3年2月24日(2021.2.24)
【誤訳訂正１】
【訂正対象書類名】明細書
【訂正対象項目名】全文
【訂正方法】変更
【訂正の内容】
【発明の詳細な説明】
【発明の名称】集積回路のためのパッケージングにおける又は関連する改善
【技術分野】
【０００１】
本発明は、集積回路（ＩＣ：ｉｎｔｅｇｒａｔｅｄ  ｃｉｒｃｕｉｔ）のためのパッケージングにおける又は関連する改善に関するものであり、特に使用時に流体へ暴露させることを目的としているＩＣのためのパッケージングに関する。
【背景技術】
【０００２】
センサＩＣの表面の一部の、大気か又は流体への暴露を可能にさせる多数の標準的なＩＣパッケージ製造プロセスが利用可能である。大量製造のための最も費用効果の高い選択肢は、ＩＣを熱硬化性プラスチック材料でオーバーモールドすることである。これらの熱硬化性材料は、ＩＣ製品の製造可能性と信頼性を確実にするために制約事項の複雑な組を有していて、可燃性の様な安全要件や特定有害物質の使用制限（ＲｏＨＳ：Ｒｅｓｔｒｉｃｔｉｏｎ  ｏｆ  Ｈａｚａｒｄｏｕｓ  Ｓｕｂｓｔａｎｃｅｓ）についての工業標準の様な他の法的要件を遵守している。これらのモールドコンパウンドは、有機材料と無機材料の組合せを含む複合的な有標組成物（ｐｒｏｐｒｉｅｔａｒｙ  ｃｏｍｐｏｓｉｔｉｏｎ）を有している。非標準モールドコンパウンドの使用は、費用への負の影響を有し、潜在的製造パートナー数を制限する。
【０００３】
半導体工業のモールドコンパウンドの複合的化学組成は、制御の乏しい予測不可能な表面特性をもたらす結果になる。また、それらの材料は流体への暴露に耐えるように設計されておらず、それらは流体や熱へ暴露されたときに化学物質を浸出させる。この様に、化学物質がモールドコンパウンドの表面から浸出し、ガス状であろうと液体であろうと試薬と相互作用し、反応の結果に影響を及ぼし得るので、大多数のモールドコンパウンドは、化学反応が起こるチャンバの壁としての使用に不向きである。このことは、化学的センサがガス状又は液体の試薬へ暴露されることになる何れの反応にも当てはまり、特にＰＣＲ（ポリメラーゼ連鎖反応）に当てはまる。
【発明の概要】
【０００４】
本発明はこの技術背景に鑑みて発案された。
【０００５】
本発明によれば、分析装置（ａｓｓａｙ  ｄｅｖｉｃｅ）であって、複数のＩＳＦＥＴを備える集積回路（ＩＣ）と、複数のＩＳＦＥＴが覆われないままになるようにしてＩＣを部分的に覆っているオーバーモールド層と、実質的にＩＣ全体に亘って提供されているフィルムと、を備え、フィルムはＩＳＦＥＴの各々のための保護（ｐａｓｓｉｖａｔｉｏｎ）層及び／又は感知層として機能し、フィルムはオーバーモールド層を包み込むバリア層として機能する、分析装置が提供されている。
【０００６】
実質的にＩＣ全体に亘る単一層の提供は、単一層がオーバーモールド層を包み込むので、生体適合性についての懸念無しに分析装置が工業標準のオーバーモールド製品を活用することを可能にさせる。
【０００７】
フィルムは、保護層、感知層、又は保護層と感知層の両方、として機能し得る。フィルムが保護層として機能する場合、フィルムは低イオン輸送特性を有する任意の誘電体から製作されていてもよい。その様な誘電体材料は電流を伝導することはなく、それらは防湿層としても機能する。アルミナ及び二酸化ハフニウムは、良好な保護特性を提供する誘電体材料の例である。
【０００８】
フィルムは、ＰＣＲ及びｐＨ感知の両方に適合する材料から形成されていてもよい。Ｐ
ＣＲとｐＨ感知の両方に適合する材料からフィルムを形成するということは、ＩＳＦＥＴ上に形成されるチャンバが、何らの更なる層の追加も無しに、ＰＣＲ及び／又はｐＨ感知に使用できるようになることを意味する。
【０００９】
オーバーモールド層は、熱硬化性プラスチック材料から形成されていてもよい。熱硬化性プラスチック材料はＩＣ製造の観点で整備が行き届いており、工業標準の熱硬化性プラスチック材料を用いて作業できるということは費用と製造可能性の点でかなり有利である。
【００１０】
フィルムは厚さ１０ｎｍ未満であってもよい。フィルムの厚さは、オーバーモールドコンパウンドからＰＣＲ及び／又はｐＨ感知が起こる流体の中へ化学物質が浸出できなくなるようオーバーモールド層が封止されることを確実にするように選択される。フィルムは、更に、ＩＳＦＥＴ上に形成されるチャンバの使用可能容量を損なわないように十分に薄くなくてはならない。
【００１１】
フィルムは、Ｓｉ３Ｎ４、Ｔａ２Ｏ５、Ａｌ２Ｏ３、又はＳｉＯ２であってもよい。Ｓｉ３Ｎ４、Ｔａ２Ｏ５、及びアルミナは、良好な感知を提供すると共に良好な保護も提供する。これらのコンパウンドの何れか１つから形成されたフィルムは感知と保護の両方を提供する。
【００１２】
フィルムは、２層又はそれ以上の副層として提供されていてもよい。実質的にＩＣ全体に亘る１層より多い層の提供は、特定の特性を最適化するために異なる副層を選択できるようにする。例えば、第１の副層を１０ｎｍのＡｌ２Ｏ３の層とし、第２の副層を１ｎｍのＳｉ３Ｎ４又はＳｉＯ２の層とすることもできるだろう。
【００１３】
プライマー固定化及びｐＨ感知に適合していて、尚且つ或る程度の保護を提供するということから、二酸化ケイ素が有利である。したがって、そうでなければＩＳＦＥＴ上に設けられていたであろう標準的感知層の代わりに二酸化ケイ素フィルムが提供されてもよいだろう。但し、二酸化ケイ素は理想的な保護層ではないことから、二酸化ケイ素を感知層として備えるフィルムは、第２の副層を有し、例えば、厚さ２０ｎｍ−５０ｎｍのＴａ２Ｏ５の層が薄い２ｎｍ−５ｎｍのＳｉＯ２の層と組み合わされてもよい。
【００１４】
感知層は、以上にＳｉＯ２フィルムに関して例示されているｐＨ感知層であってもよい。本発明の分析装置は、フィルムがデバイスの下層構造のトポロジーに従う場合に、共形モールディング（ｃｏｎｆｏｒｍａｌ  ｍｏｕｌｄｉｎｇ）を提供する何れの技法によって製造されてもよい。プラズマ堆積法、原子層堆積法、パルスレーザー堆積法は、どれもみな活用できる技法である。また、要求される均一な厚さの高品質フィルムを提供することのできる何れかの他の技法も使用できるであろう。
【００１５】
ＰＣＲとｐＨ感知の両方に適合する何れかの材料の極めて薄い層の堆積によってチャンバをＰＣＲに適合化させることができ得る、ということが提案される。よって、例えば、Ｓｉ３Ｎ４又はＴａ２Ｏ５のナノメートルスケールの層が、モールドコンパウンドの被覆を信頼度高く確実にするはずの何れかのプロセスを使用して堆積されてもよいだろう。ＩＣが既にＩＳＦＥＴパッド上に保護部を有しているなら、この感知層は保護部の上に堆積されてもよいだろう。しかしながら、堆積される層が保護と感知のどちらの要件も満たす場合、それを、ポストＣＭＯＳウェーハ製造プロセスの一環として現在堆積されている感知層の代わりに使用できる。そうすればウェーハは、ポストＣＭＯＳ加工の必要性が一切なく、ＣＭＯＳ製作から組み立てへ進むことができるだろう。組み立て後、パッケージ化されたＩＣは、保護層と感知層の両方として機能することになるはずの材料で被覆されることになる。堆積プロセスがＩＣパッケージの底部電気接点のはんだ付
け性を損なわないことを確実にするために配慮が払われなくてはならないが、この要件が満たされることを確実にするやり方は多数ある（例えば、マスキング、選択的堆積法、及びエッチング）。
【００１６】
２層又はそれ以上の層の組合せによって、性能と信頼性を更に最適化することができるだろう。例えば、１ｎｍのＳｉ３Ｎ４層又はＳｉＯ２層が１０ｎｍのＡｌ２Ｏ３層の上に堆積されてもよいだろう。これは、ＰＣＲ反応のＡｌ２Ｏ３への暴露を防止するとともにプライマー固定化及びｐＨ感知に適合する最上層を提供しながら、Ａｌ２Ｏ３のより良好な保護を提供するだろう。最上層が主に固定化のために使用されていて下層がＰＣＲ化学に適合している場合、最上層の共形の必要性は軽減され、最上層についてより低コストの堆積プロセスが利用可能であるなら、その低費用プロセスを使用することもできるであろう。
【００１７】
これより発明を、単に一例として、添付図面を参照しながら更により具体的に説明してゆく。
【図面の簡単な説明】
【００１８】
【図１】本発明によるデバイスの概略断面を示している。
【発明を実施するための形態】
【００１９】
図１は積層構造であるデバイス１０を示している。これらの層はパッケージ基板１２上に提供されていて、パッケージ基板１２を通して電気接続部１４が提供されている。基板１２上にはシリコンＩＣ層１６が提供されている。シリコンＩＣ層１６上には、複数のＩＳＦＥＴパッド１８が、ＩＳＦＥＴパッド１８間のＣＭＯＳ保護部と共に提供されている。基板１２の、ＩＳＦＥＴ１８を提供されていない部分を覆って、モールドコンパウンド１７が提供されている。ＩＳＦＥＴ１８上のモールドコンパウンド１７の開口部が流体のためのウェル１９を効果的に提供している。
【００２０】
保護と感知を提供するフィルム２０が、実質的にデバイス１０全体を覆って提供されている。フィルム２０は、既に敷かれている層のトポロジーに従い、ウェル１９のための、流体がモールドコンパウンド１７に接触しないよう防護する表面被覆を提供している。フィルム２０は更にＩＳＦＥＴパッド１８を覆っていて、そこではフィルム２０は感知を提供する。
【００２１】
更に当業者には理解されるように、発明は一例として幾つかの実施形態に関連付けて説明されているが、発明は開示されている実施形態に限定されるものではなく、付随の特許請求の範囲に定義されている発明の範囲から逸脱することなく代わりの実施形態が構築される余地がある。
【誤訳訂正２】
【訂正対象書類名】特許請求の範囲
【訂正対象項目名】全文
【訂正方法】変更
【訂正の内容】
【特許請求の範囲】
【請求項１】
分析装置であって、
複数のＩＳＦＥＴを備える集積回路（ＩＣ）と、
前記複数のＩＳＦＥＴが覆われないままになるようにして前記ＩＣを部分的に覆っているオーバーモールド層と、
前記ＩＣ全体に亘って提供されているフィルムと、
を備え、
前記フィルムは前記ＩＳＦＥＴの各々のための保護層及び／又は感知層として機能し、
前記フィルムはオーバーモールド層を包み込むバリア層として機能し、
前記フィルムは２層又はそれ以上の副層として提供されている、
分析装置。
【請求項２】
前記フィルムは保護層として機能する、請求項１に記載の分析装置。
【請求項３】
前記フィルムは感知層として機能する、請求項１に記載の分析装置。
【請求項４】
前記フィルムは保護層と感知層の両方として機能する、請求項１に記載の分析装置。
【請求項５】
前記フィルムはＰＣＲとｐＨ感知の両方に適合する材料から形成されている、請求項１から請求項４の何れか一項に記載の分析装置。
【請求項６】
前記オーバーモールド層は熱硬化性プラスチック材料から形成されている、請求項１から請求項５の何れか一項に記載の分析装置。
【請求項７】
前記フィルムは厚さ１０ｎｍ未満である、請求項１から請求項６の何れか一項に記載の分析装置。
【請求項８】
前記フィルムは、Ｓｉ３Ｎ４、Ｔａ２Ｏ５、又はＳｉＯ２である、請求項１から請求項７の何れか一項に記載の分析装置。
【請求項９】
前記感知層はｐＨ感知層である、請求項１から請求項８の何れか一項に記載の分析装置。